(57)【特許請求の範囲】
【請求項１】
流しの排水口の下方に取り付けされて、ゴミを混入した排水を回転容器に流し込んでゴミだけを網カゴに収集すると共に排水は下水管へ排出する流しの流出ゴミ廃棄装置において、回転容器は本体ケースに回転可能に軸支された軸に設けられ、該軸には回転容器に流れ込んだ排水を流す流通路を形成し、本体ケースの流入口の内周面には嵌入溝を形成したシールを設け、一方の回転容器の上端の周囲には嵌入片を形成し、回転容器を回転して起立することで嵌入片がシールの嵌入溝に嵌り込むようにしたことを特徴とする流しの流出ゴミ廃棄装置。
【請求項２】
流しの排水口の下方に取り付けされて、ゴミを混入した排水を回転容器に流し込んでゴミだけを網カゴに収集すると共に排水は下水管へ排出する流しの流出ゴミ廃棄装置において、回転容器は本体ケースに回転可能に軸支された軸に設けられ、該軸には回転容器に流れ込んだ排水を流す流通路を形成し、本体ケースの流入口の内周面には嵌入片を設け、一方の回転容器の上端の周囲には嵌入溝を形成したシールを沿設し、回転容器を回転して起立することで嵌入片がシールの嵌入溝に嵌り込むようにしたことを特徴とする流しの流出ゴミ廃棄装置。
【発明の詳細な説明】
【０００１】
【発明の属する技術分野】
本発明は流しから流出されるゴミを排水と分離して廃棄する装置に関するものである。
【０００２】
【従来の技術】
流しの流出ゴミ廃棄装置として一般に多用されている形式は、排水口に凹部容器を出し入れ自在に配置し、該凹部容器の側面並びに底面には多数の穴を穿設している。そこで、排水に混入して流れ出るゴミは凹部容器に収集され、該容器を時々取り出して溜ったゴミを別の容器に移し替えるといったものである。しかし、このような方式では不便であることから、該容器を取り出すことなく容器内に溜ったゴミを別の容器又はゴミ袋に移し替える流出ゴミ廃棄装置が知られている。
【０００３】
特公昭６０−２４２５８号に係る「流しの流出ゴミ廃棄装置」はこの形式の従来例の１つであり、該装置はゴミ受筒を内蔵する太鼓型の曲壁体の上部に口を設け、該口を流しの底板の排水口に固着し、下部にはゴミ落口を設けている。そして上記受筒は中央に底板を設けて上下に仕切り、該底板の取着部に回転軸を設け、ハンドルにより該受筒を回転させて流しの排水口から受筒上部に収集されたゴミは受筒の回転によりゴミ落口からゴミ袋等に移される。
【０００４】
この際、上記受筒の側板中央部には多数の排水用穴を設け、排水に混入しているゴミだけを受筒上部で受け止め、排水は排水用穴から曲壁体を通って排出されるといった仕組みである。このような流出ゴミ廃棄装置はさらに従来のものに比較して便利であるが、該受筒と曲壁体との間はシールがなされているが、実際には僅かな隙間から排水が侵入してしまい、該排水がゴミ落口からゴミ袋へ流れ、排水とゴミの完全分離が出来なくなったり、受筒の軸受部にゴミが侵入して回転不能となる事態が発生する。
【０００５】
一方、特公昭５４−２２６１９号に係る「脱水回収装置」も別の従来例である。これは、フレーク排出部に後続するケーシング内に中空回転体を装着し、この中空回転体に後続してフレーク回収口をケーシングに設けると共に、上記中空回転体の周壁の一部に、中空回転体の回転に伴ってフレーク排出部の排出口とフレーク回収口とを交互に連通する開口部を設け、この開口部に中空回転体内に設置した脱水カゴを装着している。この脱水回収装置の場合もケーシング内に排水等が侵入しない構造と成っているが、実際には排水の侵入を完全に防止することは出来ない。
【０００６】
そこで、本体ケースの流入口とゴミを溜める回転容器の間の排水漏れを防止する為に、該流入口にシールを設けただけでなく、回転容器が起立して流入口の下方にセットされた状態でシールを手動操作にて回転容器上端に圧接するように構成した装置も知られている。このようなシール構造とするならば排水漏れを完全防止することは出来るが、回転容器を反転して溜ったゴミを排出する場合にシールの圧接を解除しなくてはならない。すなわち非常に不便である。
【０００７】
【本発明が解決しようとする課題】
このように従来の装置では本体ケースの流入口とゴミ並びに排水が直接入る回転容器との間のシールが十分でなく、本体ケース内へ排水が侵入し、これはゴミ袋内にゴミと共に混ざってしまう。すなわち、排水とゴミの完全分離が出来ないことになる。本発明が解決しょうとする課題はこの問題点であり、排水が本体ケースに侵入することがない流しの流出ゴミ廃棄装置を提供する。
【０００８】
【課題を解決するための手段】
本発明に係る流しの流出ゴミ廃棄装置の構造は基本的には従来と同じであり、本体ケースと回転容器から成り、回転容器は本体ケースに回転可能に取り付けされる。本体ケースは上部に流入口を設け、該流入口は流しの排出口に合わせて取り付けされ、回転容器は本体ケースの流入口に位置合わせされてゴミを混入した排水が流入することが出来る。
【０００９】
本発明の装置は本体ケースの流入口に回転容器の上端開口が一致して水漏れを生じないような構造とした点に特徴があり、流入口の両側（回転容器が回転する進行方向の両側）には嵌入溝を形成したシールを設け、奥側にも同じような嵌入溝を有すシールを設けている。そして回転容器の上端両側及び前方には上記嵌入溝に嵌り込む嵌入片を有し、回転容器が回転して上端開口が流入口に一致する場合には嵌入片が嵌入溝に嵌って完全シールされる。すなわち、回転容器が回転して所定の位置に配置されるだけでシーリングが完了する。
【００１０】
そして回転容器の後方には僅かに上方へ突出した嵌入片が形成され、この嵌入片が嵌る嵌入溝を有したシールが流入口の前側に設けている。勿論、この前側のシールは回転容器が回転出来るように、すなわち回転容器後方の嵌入片が嵌入することが出来る位置に設けられる。ここで、嵌入溝を有すシールは一般にゴム等の弾性体が用いられることになるが、このシールは本体ケースの流入口側に備える場合に限定せず、回転容器の上端に設け、流入側には嵌入片を形成することもあり得る。
【００１１】
【発明の実施態様】
本体ケースは筒体で上部に流入口を設けて流しの排出口に位置合わせされて取り付けられ、筒形本体ケースの下側半分は取り外し出来、下ケースにはゴミ袋をセットすることが出来る。従って、回転容器に溜ったゴミは反転してゴミ袋内に収集することが出来、一杯になったところで下ケースを取り外してゴミ袋を取り出すことが出来る。回転容器は内容器として網カゴを備え、ゴミはこの網カゴに溜り、排水は網カゴを通過して回転軸の流通路を流れて本体ケースの外へ導かれ、下水管へ流される。
【００１２】
ところで、流入口下端の両側及び奥側には嵌入溝を有すゴム製シールが設けられ、後方には位置を高くして回転容器の進入が妨げられない位置に、同じく嵌入溝を形成したシールを設けている。一方の回転容器の上端には前方及び両側に嵌入片を有し、回転容器の回転と共に嵌入片はシールの嵌入溝に嵌り込み、後方には上端から突出した位置に嵌入片を有し、流入口後方の嵌入溝に嵌り込む。従って、流入口に流れる排水が外へ漏れることはなく、回転容器へ全てが流入する。以下、本発明に係る実施例を図面に基づいて詳細に説明する。
【００１３】
【実施例】
図１は本発明の流しの流出ゴミ廃棄装置を示している実施例である。同図の１は本体ケース、２は回転容器を示し、回転容器２は軸３と共に一体成形され、軸３が回転するならば回転容器２は反転してゴミ４は落下する。本体ケース１は筒型を成し、上部には流入口５を有していて、該流入口５は流し７の排水口６に位置合わせされて取り付けられている。流し７の排水はゴミ４と共に排水口６から流入口５に入り、回転容器２に流れ込む。
【００１４】
回転容器２には網カゴ８が取り付けられ、ゴミ４は網カゴ８内に収容され、排水は網カゴ８を通過して流れ、軸３に形成している流通路９を通って本体ケース１の外部に設けている外容器１０へ流れ出し、外容器１０に接続しているパイプ１１から下水管へ排水される。軸３は本体ケース１に回転出来るように取り付けされ、軸３には回転容器２に入った排水が流れ出す流通路９を有し、流通路９の先端には開閉出来る蓋１２が取着されている。蓋１２は常時閉じているが、排水が流れ出す場合にのみ開くことが出来る。
【００１５】
本体ケース１は取り外し出来る下ケース１３を備え、該下ケース１３内にはゴミ袋１８がセットされている。従って、回転容器２に収集されたゴミ４は該回転容器２を反転させることで落下し、ゴミ袋内に収容される。ところで、本体ケース１の流入口５の下方には回転容器２の開口１４が位置し、流入口５に流れる排水が回転容器２に入るように、すなわち外へ漏れないようにシールがなされている。
【００１６】
同図の１５は流入口５の両側に設けているシールであって、該シール１５は嵌入溝を形成している。この嵌入溝には回転容器２の上端両側に設けている嵌入片１６が嵌り込み、流入口５と回転容器２間の排水漏れを防止している。図２の（ａ）は回転容器２の網カゴ８内がゴミで満たされている場合であり、この場合、排水が流れていない為に流通路９の蓋１２は閉じている。（ｂ）は軸３を回して回転容器２を反転し、網カゴ８内のゴミ４を落として下ケース１３にセットしているゴミ袋１８に収容した場合である。
【００１７】
軸３を逆転して図１のように回転容器２を起立させるならば、流入口５に設けているシール１５の嵌入溝に嵌入片１６が嵌入して水漏れを防止することが出来る。図３は流入口５の内周面に設けているシール１５と回転容器２の上端に形成している嵌入片１６を表している。シール１５は回転容器２の回転に伴う進行方向の両側と奥側に概略コ型をしたシール１５ａ、１５ｂ、１５ｃを設け、このシール１５ａ、１５ｂ…より高さを高くした位置にシール１５ｄを有している。
【００１８】
一方の回転容器２の上端には両側及び前方に概略コ型をした嵌入片１６ａ、１６ｂ、１６ｃを形成し、後方にはその高さを高くした位置に嵌入片１６ｄを有している。そしてシール１５の内周には嵌入溝１７が沿設され、回転容器２を回転して起立することで、この嵌入溝１７に嵌入片１６が嵌る。最後に回転容器２後方の嵌入片１６ｄがシール１５ｄの嵌入溝１７ｄに嵌入することで、流入口５と回転容器２との間は完全シールがなされる。
【００１９】
ここで、シール及び嵌入溝の断面形状、それに嵌入片の断面形状は限定しない。そして、シールを回転容器側に設け、嵌入片を流入口側に形成することも出来る。更に回転容器の回転手段は任意である。以上述べたように、本発明の流しの流出ゴミ廃棄装置は本体ケースの流入口と回転容器間で排水漏れが生じないようにシールしたものであり、次のような効果を得ることが出来る。
【００２０】
【発明の効果】
本発明の流しの流出ゴミ廃棄装置は流しから排水と共に流されたゴミを回転容器内に溜めて排出することが出来、排水は下水管へ流される。そして本体ケースの流入口から回転容器へ排水が流れ込んで、ゴミだけは回転容器の網カゴに溜ることになるが、排水は本体ケース内に漏れないようにシールされている。すなわち、流入口の周囲には嵌入溝を有すシールが沿設され、回転容器の上端外周には嵌入片が形成されていて、回転容器を回転して起立することで嵌入片は嵌入溝に嵌り込んで完全シールがなされる。
【図面の簡単な説明】
【図１】本発明の流しの流出ゴミ廃棄装置を示す実施例。
【図２】流しの流出ゴミ廃棄装置の網カゴにゴミが一杯溜っている状態。
【図３】流しの流出ゴミ廃棄装置の回転容器を反転してゴミを落とした場合。
【符号の説明】
１  本体ケース
２  回転容器
３  軸
４  ゴミ
５  流入口
６  排水口
７  流し
８  網カゴ
９  流通路
10  外容器
11  パイプ
12  蓋
13  下ケース
14  開口
15  シール
16  嵌入片
17  嵌入溝
18  ゴミ袋
【図１】
0004032079.tif 000002
【図２】
0004032079.tif 000003
【図３】
0004032079.tif 000004